(57)【要約】【課題】  便器の開口部や外側面にかかった尿がトイレの床面に流れ落ちるのを確実に防止することができる尿吸収シートを提供する。【解決手段】  便器４の外側面５に着脱自在に取り付けられるシート本体６を有し、シート本体６は、尿を吸収するための吸収部材８と、吸収部材８の表面側を覆う非透水性の表面側シート部材１２と、吸収部材８の裏面側を覆う透水性の裏面側シート部材１０と、を備え、シート本体６の裏面側における長手方向両端部にはそれぞれ接着部材が設けられている。表面側シート部材１２の下側端部２２は、吸収部材８の下端部を覆いながらその裏面側まで延びて裏面側シート部材１０の下側端部１６に接続される。【選択図】  図４
0003120732.tif 000002
【実用新案登録請求の範囲】
【請求項１】
便器の外側面に着脱自在に取り付けられるシート本体を有し、前記シート本体は、尿を吸収するための吸収部材と、前記吸収部材の表面側を覆う非透水性の表面側シート部材と、前記吸収部材の裏面側を覆う透水性の裏面側シート部材と、を備え、前記シート本体の裏面側における長手方向両端部にはそれぞれ接着部材が設けられており、
前記表面側シート部材の下側端部は、前記吸収部材の下端部を覆いながらその裏面側まで延びて前記裏面側シート部材の下側端部に接続されることを特徴とする尿吸収シート。
【請求項２】
前記表面側シート部材の下側端部の前記吸収部材の裏面側への折返し部分の幅は、２．０〜２．５ｃｍであることを特徴とする請求項１に記載の尿吸収シート。
【請求項３】
前記表面側シート部材の下側端部は内側に折り畳まれて重ね合わされた縫い代部を構成し、前記表面側シート部材の前記縫い代部は、前記裏面側シート部材の下側端部における縫い代部の外側に重ね合わされて縫合されていることを特徴とする請求項１又は２に記載の尿吸収シート。
【請求項４】
前記吸収部材の長手方向中間部における厚さは、その長手方向両端部における厚さよりも大きく構成されていることを特徴とする請求項１〜３のいずれかに記載の尿吸収シート。
【請求項５】
前記シート本体の長手方向両端部にはそれぞれ、前記接着部材の接着部位の外側につまみ部が設けられていることを特徴とする請求項１〜４のいずれかに記載の尿吸収シート。
【請求項６】
前記吸収部材は消臭剤及び／又は抗菌剤を含んでいることを特徴とする請求項１〜５のいずれかに記載の尿吸収シート。
【考案の詳細な説明】
【技術分野】
【０００１】
本考案は、便器において排尿した際に、便器の開口部や外側面にかかった尿がトイレの床面に流れ落ちるのを防止するための尿吸収シートに関する。
【背景技術】
【０００２】
例えば高齢者や幼児、身体障害者などが便器において排尿する際に、尿が便器の開口部や外側面にかかってしまうことがある。便器の開口部や外側面にかかった尿は、便器の外側面に沿って流下してトイレの床面に流れ、これによりトイレの床面が汚れてしまう。特に、便器の下端部とトイレの床面との継ぎ目に尿が流れ込むと、この継ぎ目が変色してトイレの美観が損われるとともに、悪臭の発生及び雑菌の繁殖の原因となってしまう。このような問題を解消するため、従来より尿吸収シートが利用に供されている（例えば、特許文献１参照）。
【０００３】
この尿吸収シートは、尿を吸収するための吸収部材と、吸収部材の裏面側を覆う裏面側シート部材と、吸収部材の表面側を覆う透水性の表面側シート部材と、裏面側シート部材に設けられた接着部材と、を備えており、接着部材によって便器の外側面に着脱自在に取り付けられる。したがって、便器の外側面に沿って流下した尿は、表面側シート部材を通して吸収部材に吸収され、これにより尿がトイレの床面に流れ落ちるのが防止される。
【０００４】
【特許文献１】実用新案登録第３１０４８２３号公報
【考案の開示】
【考案が解決しようとする課題】
【０００５】
しかしながら、上述したような従来の尿吸収シートでは次のような問題がある。表面側シート部材は透水性を有しているので、例えば便器の開口部や外側面に比較的多量の尿がかかった場合などには、吸収部材に吸収しきれなかった尿が表面側シート部材を通して外部に漏れ出すおそれがある。
【０００６】
本考案の目的は、便器の開口部や外側面にかかった尿がトイレの床面に流れ落ちるのを確実に防止することができる尿吸収シートを提供することである。
【課題を解決するための手段】
【０００７】
本考案の請求項１に記載の尿吸収シートでは、便器の外側面に着脱自在に取り付けられるシート本体を有し、前記シート本体は、尿を吸収するための吸収部材と、前記吸収部材の表面側を覆う非透水性の表面側シート部材と、前記吸収部材の裏面側を覆う透水性の裏面側シート部材と、を備え、前記シート本体の裏面側における長手方向両端部にはそれぞれ接着部材が設けられており、
前記表面側シート部材の下側端部は、前記吸収部材の下端部を覆いながらその裏面側まで延びて前記裏面側シート部材の下側端部に接続されることを特徴とする。
【０００８】
また、本考案の請求項２に記載の尿吸収シートでは、前記表面側シート部材の下側端部の前記吸収部材の裏面側への折返し部分の幅は、２．０〜２．５ｃｍであることを特徴とする。
【０００９】
さらに、本考案の請求項３に記載の尿吸収シートでは、前記表面側シート部材の下側端部は内側に折り畳まれて重ね合わされた縫い代部を構成し、前記表面側シート部材の前記縫い代部は、前記裏面側シート部材の下側端部における縫い代部の外側に重ね合わされて縫合されていることを特徴とする。
【００１０】
また、本考案の請求項４に記載の尿吸収シートでは、前記吸収部材の長手方向中間部における厚さは、その長手方向両端部における厚さよりも大きく構成されていることを特徴とする。
【００１１】
さらに、本考案の請求項５に記載の尿吸収シートでは、前記シート本体の長手方向両端部にはそれぞれ、前記接着部材の接着部位の外側につまみ部が設けられていることを特徴とする。
【００１２】
また、本考案の請求項６に記載の尿吸収シートでは、前記吸収部材は消臭剤及び／又は抗菌剤を含んでいることを特徴とする。
【考案の効果】
【００１３】
本考案の請求項１に記載の尿吸収シートによれば、シート本体が便器の外側面に取り付けられるので、便器の開口部や外側面にかかってその外側面に沿って流下した尿は裏面側シート部材を通して吸収部材に吸収され、これにより尿がトイレの床面に流れるのが防止される。また、表面側シート部材は非透水性を有し、表面側シート部材の下側端部は、吸収部材の下端部を覆いながらその裏面側まで延びて裏面側シート部材の下側端部と接続されるので、吸収部材に吸収された尿はシート本体の下端部（この下端部は表面側シート部材により覆われている）に貯められるようになる。したがって、例えば便器の開口部や外側面に比較的多量の尿がかかった場合などにおいて、吸収部材に吸収された尿が表面側シート部材を通して外部に漏れ出すことがなく、尿がトイレの床面に流れ落ちるのを確実に防止することが可能となる。
【００１４】
また、本考案の請求項２に記載の尿吸収シートによれば、表面側シート部材の下側端部の吸収部材の裏面側への折返し部分の幅は２．０〜２．５ｃｍであるので、吸収部材に吸収された尿をシート本体の下端部に確実に貯めることができる。
【００１５】
さらに、本考案の請求項３に記載の尿吸収シートによれば、表面側シート部材の下側端部における縫い代部は内側に折り畳まれて二重に重ね合わされ、この二重の縫い代部が裏面側シート部材の下側端部における縫い代部と縫合されるので、吸収部材の下端部に吸収された尿が上方に向かって逆流した場合に、この逆流した尿をこれら縫い代部によってブロックすることができ、尿が裏面側シート部材を通して外部に漏れ出すのを確実に防止することが可能となる。
【００１６】
また、本考案の請求項４に記載の尿吸収シートによれば、便器の開口部や外側面にかかった尿の大部分は吸収部材の長手方向中間部に吸収されるので、吸収部材の長手方向中間部における厚さをその長手方向両端部における厚さよりも大きく構成することによって、便器の外側面に沿って流下する尿を吸収部材に確実に吸収させることが可能となる。
【００１７】
さらに、本考案の請求項５に記載の尿吸収シートによれば、シート本体の長手方向両端部にはそれぞれ、接着部材の接着部位の外側につまみ部が設けられているので、このつまみ部を手で掴んでシート本体の長手方向両端部を手前に引き剥がすことにより、シート本体を便器の外側面より容易に取り外すことが可能となる。
【００１８】
また、本考案の請求項６に記載の尿吸収シートによれば、吸収部材は消臭剤及び／又は抗菌剤を含んでいるので、吸収部材に吸収された尿による悪臭の発生及び雑菌の繁殖を抑制することが可能となる。
【考案を実施するための最良の形態】
【００１９】
以下、添付図面を参照して、本考案に従う尿吸収シートの一実施形態について説明する。図１は、本考案の一実施形態による尿吸収シートを示す概略斜視図であり、図２は、図１のシート本体の裏面側を示す平面図であり、図３は、図１のシート本体を便器の外側面に取り付けた状態を示す概略斜視図であり、図４は、図３中のＡ−Ａ線によるシート本体及びその周辺部の概略断面図である。
【００２０】
図１〜図４において、図示の尿吸収シート２は、便器４（本実施形態では洋式便器）の外側面５に着脱自在に取り付けられるシート本体６を有しており、このシート本体６は、尿を吸収するための吸収部材８と、吸収部材８の裏面側を覆う透水性の裏面側シート部材１０と、吸収部材８の表面側を覆う非透水性の表面側シート部材１２と、を備えている。
【００２１】
吸収部材８は横長の帯状に構成され、例えば綿状パルプ、高吸収性高分子物質又は合成繊維などの吸水性を有する材料から形成されている。高吸収性高分子物質としては、例えばデンプン系、セルロース系、合成ポリマー系又はポリアクリル酸ナトリウム系のものなど種々のものを用いることができる。あるいは、例えば綿部材、キッチンタオル、キッチンペーパ、ティッシュペーパ又はトイレットペーパなどの吸水性を有する家庭用品により吸収部材８を構成するようにしてもよい。吸収部材８の長手方向（図２において左右方向）中間部における厚さ（肉厚）は、その長手方向両端部における厚さよりも大きく構成されており、例えば、吸収部材８の長手方向中間部における厚さは約５〜７ｍｍ程度に構成され、またその長手方向両端部における厚さは約３〜４ｍｍ程度に構成される。なお、この吸収部材８の外形寸法は、例えば長さ約４５〜５０ｃｍ、高さ約６ｃｍ程度に構成される。
【００２２】
また、吸収部材８には消臭剤（図示せず）及び抗菌剤（図示せず）が含まれている。消臭剤としては、例えば活性炭、ゼオライト、アモルファスシリカ、ベントナイト、活性アルミナ又は活性白土などが用いられ、また抗菌剤としては、例えばキトサン、竹酢液、木酢液又はヒノキチオール（β−ツヤプリシン）などが用いられるが、特にこれらに限定されるものではない。この吸収部材８には更に、尿により変色する指示剤（図示せず）が含まれており、この指示剤としては、例えば尿（水）に濡れると白色から青色に変色する水溶性インクなどを用いることができる。
【００２３】
裏面側シート部材１０は横長に構成され、透水性を有する例えば不織布シートや紙シートなどから形成されている。裏面側シート部材１０の長さは吸収部材８の長さよりも僅かに大きく構成されており、この裏面側シート部材１０によって吸収部材８の裏面側（すなわち、便器４側に位置される側面）が覆われている。裏面側シート部材１０の上側端部１４は吸収部材８の上端部を覆いながらその表面側まで延びており、またその下側端部１６は吸収部材８の裏面側における下端部近傍まで延びている。
【００２４】
表面側シート部材１２は横長に構成され、非透水性を有する例えば紙シートや樹脂シートなどから形成されている。表面側シート部材１２の長さは裏面側シート部材１０の長さよりも大きく構成されており、この表面側シート部材１２によって吸収部材８の表面側（すなわち、便器４とは反対側に位置される側面）が覆われている。表面側シート部材１２の上側端部１８は裏面側シート部材１０の上側端部１４と重ね合わされ、吸収部材８の上端部を介して糸２０により相互に縫い合わされている（図４参照）。なお、糸２０は、図１〜図３においてはその図示を省略してある。表面側シート部材１２の下側端部２２は、吸収部材８の下端部を覆いながらその裏面側まで延びており、内側に折り畳まれて重ね合わされた縫い代部２６を構成し、この縫い代部２６は、裏面側シート部材１０の下側端部１６における縫い代部２８の外側に重ね合わされて縫い合わされている。このように表面側シート部材１２のうち吸収部材８の下端部を覆っている部分によって袋状部３０が形成され、この袋状部３０の内部には吸収部材８に吸収された尿が貯められる。なお、表面側シート部材１２の下側端部２２の吸収部材８の裏面側への折返し部分３１の幅ｄ（図２参照）は、例えば約２．０〜２．５ｃｍ程度に構成される。
【００２５】
また、表面側シート部材１２の長手方向両端部は吸収部材８の両端部よりもそれぞれ左右外側に延びており、これら長手方向両端部が外側に（又は内側に）折り返されることによって、シート本体６の長手方向両端部にはそれぞれ取付部３２が形成される。取付部３２の裏面側（すなわち、裏面側シート部材１０側の側面）には、例えば粘着テープなどの接着部材３４が取り付けられており、この接着部材３４は、適度な粘着性を有する粘着シート３６と、粘着シート３６に着脱自在に貼着された剥離シート３８と、から構成されている。取付部３２の各内側端部と裏面側シート部材１０の両端部とは、糸４０により相互に縫い合わされており、これによりシート本体６の内部に収納された吸収部材８は外部に取り出すことができないようになっている。また、シート本体６の長手方向両端部における接着部材３４の接着部位よりも外側（すなわち、取付部３２の外側端部）にはそれぞれつまみ部４２が設けられており、このつまみ部４２は、シート本体６の表面側に所定角度（例えば３０〜４５度程度）でもって折り曲げられている。つまみ部４２は、例えば取付部３２の外側端部において表面側シート部材１２を二重に折り畳むことにより構成され、その幅は例えば約１ｃｍ程度に構成される。接着部材３４の外周部と取付部３２の外周部との間には例えば約１ｃｍ程度の間隙が形成されており、これにより、後述するようにシート本体６の取付部３２を便器４の外側面５より容易に引き剥がすことができる。
【００２６】
上述のようにして構成されたシート本体６の外形寸法は、例えば長さ約６０ｃｍ、高さ約７ｃｍ程度に構成されるが、これに限定されるものではなく、便器４の形状や大きさなどに応じて適宜設定することができる。また、シート本体６の長手方向中間部における表面側シート部材１２には、上下方向に延びるセンターライン４４が例えばインクやシールなどによって付されており、これにより、後述するようにシート本体６を便器４の外側面５に取り付ける際の位置決めを容易に行うことができる。また、吸収部材８及び表面側シート部材１２はそれぞれ白色に構成されている。
【００２７】
次に、上述のようにして構成された尿吸収シート２の使用方法について説明する。まず、接着部材３４の剥離シート３８を粘着シート３６より剥がし、表面側シート部材１２に付されたセンターライン４４が便器４の外側面５の最も手前側に位置されるように位置決めをし、袋状部３０が下側になるようにして接着部材３４の粘着シート３６を便器４の外側面５に貼着することにより、シート本体６を例えば便器４の下端部における外側面５に取り付ける。このようにシート本体６が便器４の外側面５に取り付けられると、シート本体６の裏面側シート部材１０が便器４の外側面５に密着され、便器４の外側面５の下端部とトイレの床面４６との継ぎ目がシート本体６によって覆われるようになる（図３及び図４参照）。
【００２８】
シート本体６が便器４の外側面５に取り付けられた状態において、便器４において排尿した際に尿が便器４の開口部４８や外側面５にかかると、この尿は便器４の外側面５に沿って流下する。この流下した尿がシート本体６の上端部まで到達すると、尿は透水性を有する裏面側シート部材１０を通して吸収部材８に吸収されるようになり、したがって、尿がトイレの床面４６に流れ落ちるのが防止される。
【００２９】
本実施形態による尿吸収シート２では更に、次のような作用効果が達成される。第１に、吸収部材８の表面側は非透水性の表面側シート部材１２によって覆われているので、吸収部材８に吸収された尿が表面側シート部材１２を通して外部に漏れ出すことがなく、尿がトイレの床面４６に流れ落ちるのを確実に防止することができる。第２に、シート本体６の下端部には表面側シート部材１２によって袋状部３０が形成されているので、吸収部材８に吸収された尿はこの袋状部３０の内部に貯められるようになり、これにより例えば比較的多量の尿が便器４の開口部４８や外側面５にかかることによって吸収部材８に多量の尿が吸収された場合など、尿がシート本体６の下端部から外部に漏れ出すことがなく、尿がトイレの床面４６に流れ落ちるのを確実に防止することができる。第３に、表面側シート部材１２の下側端部２２における縫い代部２６は内側に折り畳まれて二重に重ね合わされ、この二重の縫い代部２６が裏面側シート部材１０の下側端部１６における縫い代部２８と縫合されるので、吸収部材８の下端部に吸収された尿が上方へ裏面側シート部材１０に向かって逆流した際に、この逆流した尿がこれら縫い代部２６，２８によってブロックされ、これにより尿が裏面側シート部材１０を通して外部に漏れ出すのを防止することができる。
【００３０】
第４に、吸収部材８に含まれる消臭剤の消臭作用によって、吸収部材８に吸収された尿からの悪臭の発生を抑制することができ、また吸収部材８に含まれる抗菌剤の抗菌作用によって、吸収部材８に吸収された尿による雑菌の繁殖を抑制することができる。第５に、吸収部材８に尿が吸収されると、吸収部材８に含まれる指示剤が尿に濡れて例えば白色から青色に変色され、吸収部材８及び表面側シート部材１２はそれぞれ白色に構成されているので、表面側シート部材１２を通して外部からこの変色を視認することができ、シート本体６の交換時期の目安にすることができる。
【００３１】
なお、吸収部材８に指示剤が含まれない場合には、吸収部材８に尿が吸収されると、尿が吸収された部分が例えば白色から黄色（すなわち、尿の色）に変色されるので、表面側シート部材１２を通して外部からこの変色を視認することができ、シート本体６の交換時期の目安にすることができる。あるいは、表面側シート部材１２を便器４の色と同色（例えば、白やピンクなど）に構成することにより、シート本体６を便器４の外側面５に取り付けた際の違和感がなく、トイレの美観を損なうことがない。シート本体６を交換する際には、つまみ部４２を手で掴んで取付部３２を手前側に引き剥がすことによって、シート本体６を便器４の外側面５から容易に取り外すことができ、取り外したものは可燃物ゴミなどとして破棄することができる。このように使用済みのシート本体６を取り外した後に、未使用の新しいシート本体（図示せず）を上述したのと同様に便器４の外側面５に取り付ければよい。
【００３２】
本実施形態では、吸収部材８に消臭剤、抗菌剤及び指示剤が含まれるように構成したが、これらのうちいずれか１つ又は２つのみが含まれるようにしてもよく、あるいは、これらを省略するようにしてもよい。また、例えばミント、ラベンダー又はオレンジなどの芳香剤（図示せず）が吸収部材８に含まれるように構成してもよい。
【００３３】
以上、本考案に従う尿吸収シートの一実施形態について説明したが、本考案はかかる実施形態に限定されるものではなく、本考案の範囲を逸脱することなく種々の変形乃至修正が可能である。
【００３４】
例えば、上記実施形態では、シート本体６を便器４の下端部における外側面５に取り付けるようにしたが、これに限られず、例えば便器４の開口部４８近傍における外側面５に取り付けるようにしても良く、あるいは、便器４の開口部４８とその下端部との中間部における外側面５に取り付けるようにしても良く、その取付部位は適宜設定することができる。
【００３５】
また例えば、上記実施形態では、表面側シート部材１２の下側端部２２における縫い代部２６と裏面側シート部材１０の下側端部１６における縫い代部２８とを糸により相互に縫い合わせたが、これらを例えば接着剤により相互に接続するようにしてもよい。
【００３６】
また例えば、上記実施形態では、シート本体６の取付部３２に接着部材３４を取り付けるように構成したが、これに加えて、折返し部３１に接着部材を取り付けるように構成してもよく、かく構成することにより、シート本体６と便器４の外側面５との密着性を向上させることが可能となる。
【図面の簡単な説明】
【００３７】
【図１】本考案の一実施形態による尿吸収シートを示す概略斜視図である。
【図２】図１のシート本体の裏面側を示す平面図である。
【図３】図１のシート本体を便器の外側面に取り付けた状態を示す概略斜視図である。
【図４】図３中のＡ−Ａ線によるシート本体及びその周辺部の概略断面図である。
【符号の説明】
【００３８】
２  尿吸収シート
４  便器
６  シート本体
８  吸収部材
１０  裏面側シート部材
１２  表面側シート部材
２６，２８  縫い代部
３４  接着部材
４２  つまみ部
【図１】
0003120732.tif 000003
【図２】
0003120732.tif 000004
【図３】
0003120732.tif 000005
【図４】
0003120732.tif 000006